(57)【要約】  冷蔵庫（１）は、冷蔵室扉（１１）を備えている。冷蔵室扉（１１）は、正面部材（前面側部材）（４１）と、ドアバック（背面側部材）（３１）と、正面部材（４１）とドアバック（３１）との間に配置された断熱層（２５）と、ドアパッキン（密封部材）（２１）と、小型カメラ（電子部品）（７１）と、カメラ接続用のハーネス（電子部品用配線）（８２）とを備えている。カメラ接続用のハーネス（８２）は、断熱層（２５）内を通過している。また、カメラ接続用のハーネス（８２）の一端部は、ドアパッキン（２１）よりも庫内側にある正面部材（４１）において断熱層（２５）から外部へ露出している。
2019150636.tif 000002
【特許請求の範囲】
【請求項１】
扉を備えている冷蔵庫であって、
前記扉は、
前面側部材と、
前記前面側部材と対向配置された背面側部材と、
前記前面側部材と前記背面側部材との間に配置された断熱層と、
前記扉の閉鎖時に庫内の密閉性を高める密封部材と、
前記背面側部材側に配置されている電子部品と、
前記電子部品と接続される電子部品用配線と
を備え、
前記電子部品用配線は、前記断熱層内を通過しており、かつ、前記電子部品用配線の一端部は、前記密封部材よりも庫内側の前記前面側部材において前記断熱層から外部へ露出している、
冷蔵庫。
【請求項２】
前記電子部品用配線の一部は、前記前面側部材の前面側で前記断熱層から露出している、請求項１に記載の冷蔵庫。
【請求項３】
前記電子部品が設置された取付部材をさらに備え、
前記取付部材は、前記扉に取り付けられる、
請求項１または２に記載の冷蔵庫。
【請求項４】
前記背面側部材には突起部が形成されており、
前記取付部材は、前記突起部に取り付けられる、
請求項３に記載の冷蔵庫。
【請求項５】
前記取付部材は、固定部材によって前記前面側部材と接続され、
前記固定部材は、前記密封部材によって覆われている、
請求項４に記載の冷蔵庫。
【請求項６】
前記扉は、前記前面側部材の前面側に配置された表面パネルをさらに備えており、
前記表面パネルは、前記固定部材によって前記前面側部材と接続されている、
請求項５に記載の冷蔵庫。
【発明の詳細な説明】
【技術分野】
【０００１】
本開示は、扉に、カメラなどの電子部品を備えている冷蔵庫に関する。
【背景技術】
【０００２】
近年、電子部品の小型化に伴って、表示パネル、および操作パネルなどのような配線基板を有する電子部品を冷蔵庫に設置することが技術的に可能となっている。また、情報通信技術の進歩に伴って、冷蔵庫などの生活家電を、インターネット接続させることへの要望が高まってきている。【０００３】
このような流れを受けて、冷蔵庫の扉に、表示パネル、操作パネル、およびカメラなどの電子部品を設置することが試みられている。例えば、特許文献１には、冷蔵庫扉の内板に操作部と、操作部に接続される基板とを備えている冷蔵庫が開示されている。具体的には、特許文献１の冷蔵庫は、外板と内板との間に断熱部を備えて前面が開口する箱体を開閉する扉を備えている。そして、前記扉の内板表面側に露出する操作部および前記操作部と接続する基板部を有する基板収納部材と、前記基板収納部材と前記断熱部との間を仕切る仕切り部材とを備えている。
【先行技術文献】
【特許文献】
【０００４】
【特許文献１】特開２００６−４６７７１号公報
【発明の概要】
【発明が解決しようとする課題】
【０００５】
ところで、冷蔵庫の扉の内部に形成される断熱部（断熱層）は、庫内の断熱性能を維持するために、発泡ポリウレタン（硬質ウレタンフォームともいう）などの発泡断熱材で形成されることが知られている。つまり、冷蔵庫の扉は、主として、扉の外形を構成する外板（前面側部材ともいう）と、内板（背面側部材ともいう）と、これらの間に存在する上述の断熱層とで構成されている。【０００６】
このような構造の扉を製造する際には、通常、外板および内板の何れか一方に、断熱層の材料（例えば、ポリウレタンの原料であるモノマー剤、および発泡剤などの混合物）を載置した後、直ちに、外板および内板の他方を上から被せる。これにより、外板と内板との間に密閉空間が形成される。そして、この密閉空間内で、発泡ポリウレタンの生成反応が進み、断熱層が形成される。【０００７】
しかしながら、特許文献１に開示された扉の構造において、上述のような製造方法を用いて扉を製造する場合は、内板に設けられた基板部に接続された配線コードを外板側のヒンジ軸などに組み入れた状態で、外板と内板とを被せることになり、製造工程が煩雑となる。また、外板と内板とを被せる前から配線コードを接続しておく必要があるため、断熱部中の配線コードが不要に長くなり、扉の断熱性能が低下するおそれがある。【０００８】
そこで、本発明の一局面では、冷蔵庫の扉の庫内側に電子部品を設置した場合に、断熱性能の低下を抑え、扉をより容易に製造することのできる構造を提案する。
【課題を解決するための手段】
【０００９】
本発明の一局面は、扉を備えている冷蔵庫に関する。この冷蔵庫において、前記扉は、前面側部材と、前記前面側部材と対向配置された背面側部材と、前記前面側部材と前記背面側部材との間に配置された断熱層と、前記扉の閉鎖時に庫内の密閉性を高める密封部材と、前記背面側部材側に配置されている電子部品と、前記電子部品と接続される電子部品用配線とを備えている。そして、前記電子部品用配線は、前記断熱層内を通過しており、かつ、前記電子部品用配線の一端部は、前記密封部材よりも庫内側の前記前面側部材において前記断熱層から外部へ露出している。【００１０】
上記の本発明の一局面の冷蔵庫において、前記電子部品用配線の一部は、前記前面側部材の前面側で前記断熱層から露出していてもよい。【００１１】
上記の本発明の一局面の冷蔵庫は、前記電子部品が設置された取付部材をさらに備えていてもよい。また、前記取付部材は、前記扉に取り付けられていてもよい。【００１２】
上記の本発明の一局面の冷蔵庫において、前記背面側部材には突起部が形成されていてもよい。そして、前記取付部材は、前記突起部に取り付けられていてもよい。【００１３】
また、前記取付部材は、固定部材によって前記前面側部材と接続されており、前記固定部材は、前記密封部材によって覆われていてもよい。【００１４】
上記の本発明の一局面の冷蔵庫において、前記扉は、前記前面側部材の前面側に配置された表面パネルをさらに備えていてもよい。そして、前記表面パネルは、前記固定部材によって前記前面側部材と接続されていてもよい。
【発明の効果】
【００１５】
以上のように、本発明の一局面によれば、扉の庫内側に電子部品を設置した冷蔵庫において、庫内の断熱性能の低下を抑えることができる。
【図面の簡単な説明】
【００１６】
【図１】本発明の第１の実施の形態に係る冷蔵庫の外観を示す正面図である。
【図２】図１に示す冷蔵庫に備えられた右側の冷蔵室扉の構成を示す正面図である。
【図３】図１に示す冷蔵庫に備えられた右側の冷蔵室扉の開放端部側の構成を示す側面図である。
【図４】図２に示す冷蔵室扉の背面側の構成を示す平面図である。
【図５】図２に示す冷蔵室扉の本体部分とガラスパネルとを示す斜視図である。この図は、冷蔵室扉およびガラスパネルの背面側（裏面側）を示す図である。
【図６】図２に示す冷蔵室扉の本体部分からカメラ取付部材を取り外した状態を示す斜視図である。この図は、冷蔵室扉の背面側（裏面側）を示す図である。
【図７】図２に示す冷蔵室扉の本体部分からカメラ取付部材を取り外した状態を示す斜視図である。この図は、冷蔵室扉の背面側（裏面側）を示す図である。
【図８】図２に示す冷蔵室扉の本体部分からガラスパネルを取り外した状態を示す斜視図である。
【図９】図２に示す冷蔵室扉を構成する正面部材の前面側（正面側）を示す斜視図である。
【図１０】図２に示す冷蔵室扉を構成する正面部材の背面側（裏面側）を示す斜視図である。
【図１１】図２に示す冷蔵室扉を構成する正面部材の背面側（裏面側）を示す平面図である。
【図１２】図２に示す冷蔵室扉を構成するドアバックの背面側を示す斜視図である。
【図１３】図２に示す冷蔵室扉の内部構成を示す断面図である。この図は、図２に示す冷蔵室扉のＡ−Ａ線部分の断面構成を示す図である。
【図１４】図２に示す冷蔵室扉の内部構成を示す部分断面図である。この図は、図３に示す冷蔵室扉のＢ−Ｂ線部分の断面構成を示す図である。
【図１５】本発明の第２の実施の形態に係る冷蔵庫の外観を示す正面図である。
【発明を実施するための形態】
【００１７】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１８】
〔第１の実施形態〕
本実施形態では、本発明の一態様にかかる冷蔵庫として、冷蔵庫扉（例えば、冷蔵室の扉）にカメラおよび表示パネルを備えている冷蔵庫を例に挙げて説明する。
【００１９】
＜冷蔵庫の全体構成＞
図１には、本実施形態にかかる冷蔵庫１の正面側の構成を示す。冷蔵庫１は、上段に第１の冷蔵室、中段に第２の冷蔵室（野菜室）、および下段に第１の冷凍室を備えている。また、冷蔵庫１の中段には、製氷室および第２の冷凍室も備えられている。
【００２０】
なお、冷蔵庫１における各貯蔵室の構成や配置は、上記のものに限定はされない。各貯蔵室の構成および配置は、冷蔵庫の容量、用途などに応じて適宜変更することができる。
【００２１】
また、上段の第１の冷蔵室には、左右に分割された観音開き（フレンチドア）式の冷蔵室扉１１（右側の冷蔵室扉）及び１２（左側の冷蔵室扉）が設けられている。中段の第２の冷蔵室（野菜室）には、引き出し式の冷蔵室扉１３が設けられている。下段の第１の冷凍室には、引き出し式の冷凍室扉１４が設けられている。また、中段に製氷室および第２の冷凍室には、引き出し式の製氷室扉１５または冷凍室扉１６がそれぞれ設けられている。
【００２２】
なお、冷蔵庫１における各扉の構成は、上記のものに限定はされない。各貯蔵室の扉は、各貯蔵室の構造、用途、位置などに応じて、例えば、観音開き方式、左右の何れかの端部から開閉する方式、左右両側から開閉可能な方式、引き出し方式などを適宜採用することができる。
【００２３】
本実施形態では、扉が設けられている面を冷蔵庫の前面（正面）とする。そして、前面を基準にして、冷蔵庫１を通常の状態で設置した場合に存在する位置に基づいて、冷蔵庫１の各面を、上面、側面、背面、及び底面とする。したがって、本明細書中において、「前面側」または「背面側」と規定するときは、任意の位置を基準として前面又は背面が設けられている側、あるいは、任意の位置から前面又は背面へ向かう方向のことを意味する。また、本明細書では、冷蔵庫１の前面から背面へ向かう方向および冷蔵庫１の背面から前面へ向かう方向を、前後方向と呼ぶ。また、本明細書では、冷蔵庫１の一方の側面から他方の側面へ向かう方向を、左右方向と呼ぶ。さらに、本明細書においては、原則として、冷蔵庫または冷蔵室扉の「右側」とは、冷蔵庫の正面から見て右側に当たる側のことを意味し、冷蔵庫または冷蔵室扉の「左側」とは、冷蔵庫の正面から見て左側に当たる側のことを意味する。
【００２４】
右側の冷蔵室扉（扉）１１には、表示パネル（表示部）５０が設置されている。表示パネル５０は、冷蔵室扉１１に備えられている電子部品の一例である。後述するように、表示パネル５０は、冷蔵室扉１１の最表面に配置されているガラスパネル（表面パネル）５１の裏面に取り付けられている。表示パネル５０は、例えば、液晶ディスプレイ、有機ＥＬディスプレイなどの表示パネル部材を含んで構成することができる。
【００２５】
また、右側の冷蔵室扉１１には、小型カメラ７１が備えられている（図４参照）。小型カメラ７１も、冷蔵室扉１１に備えられている電子部品の一例である。小型カメラ７１は、冷蔵室内を撮影するためのものである。したがって、小型カメラ７１は、冷蔵室扉１１の背面側に設置されている。小型カメラ７１の個数は、１個でもよいし、複数個でもよい。
【００２６】
表示パネル５０には、冷蔵庫の運転情報、冷蔵庫の制御情報、庫内在庫情報、カレンダ情報、レシピ情報、伝言情報などを表示させることができる。また、表示パネル５０は、冷蔵室扉１１の背面側に設けられた小型カメラ７１で撮影された庫内の映像を表示させることもできる。また、表示パネル５０がインターネット接続されている場合には、インターネットを介して得られる各種ホームページの情報を表示させることもできる。また、表示パネルの表示面や縁部などにタッチセンサ等の入力デバイスを設けることで、表示パネル５０から表示内容に沿った入力操作を行うこともできる。
【００２７】
また、冷蔵室扉１１および冷蔵室扉１２には、タッチセンサ（接触検知部）９０がそれぞれ設けられている。タッチセンサ９０は、各冷蔵室扉１１・１２の開放端部側に配置されている。タッチセンサ９０は、人体等が接触したことを検知する。そして、例えば、右側の冷蔵室扉１１のタッチセンサ９０にユーザの手などが触れると、冷蔵室扉１１が開くように制御される。同様に、左側の冷蔵室扉１２のタッチセンサ９０にユーザの手などが触れると、冷蔵室扉１２が開くように制御される。
【００２８】
＜冷蔵室扉の構成＞
続いて、冷蔵庫１に備えられた冷蔵室扉１１のより具体的な構成について、図面を参照しながら説明する。
【００２９】
図２および図３には、冷蔵室扉１１の正面側または左側面側（開放端部側）を拡大して示す。図４には、冷蔵室扉１１の背面側を示す。図５には、冷蔵室扉１１の本体部分（正面部材４１およびドアバック３１など）とガラスパネル５１とを分解した状態を示す。図６および図７には、冷蔵室扉１１の本体部分からカメラ取付部材７０を取り外した状態を示す。図８には、冷蔵室扉１１の本体部分からガラスパネルを取り外した状態を示す。図９から図１１には、冷蔵室扉１１を構成する正面部材４１を各方向から見た図を示す。図１２には、冷蔵室扉１１を構成するドアバック３１を背面側から見た図を示す。
【００３０】
冷蔵室扉１１は、主として、ドアバック３１、正面部材４１、ガラスパネル５１、表示パネル５０、断熱層２５（図１３参照）、およびカメラ取付部材７０などで構成されている。
【００３１】
冷蔵室扉１１の背面側は、ドアバック３１で形成されている（図５参照）。正面部材４１は、ドアバック３１の正面側に位置し、ドアバック３１と対向配置されることで、冷蔵室扉１１本体部分の正面側を構成する。
【００３２】
正面部材４１は、冷蔵室扉１１の正面側に位置し、冷蔵室扉１１の本体部分の正面を構成する。ドアバック３１は、正面部材４１と対向配置され、冷蔵室扉１１の背面側を構成する。正面部材４１の背面にドアバック３１が嵌め込まれることによって、冷蔵室扉１１の本体部分の外形が形成される。断熱層２５は、正面部材４１とドアバック３１との間に配置される。
【００３３】
ガラスパネル５１は、冷蔵室扉１１の最前面に配置される。本実施形態では、ガラスパネル５１は、冷蔵室扉１１の本体部分から取り外し可能に構成されている。図５に示すように、冷蔵室扉１１の外側の表面は、一枚のガラスパネル５１で構成される。また、本実施形態では、ガラスパネル５１は、冷蔵室扉１１の本体部分の前面の略全体を覆うように構成される。そのため、冷蔵室扉１１の表面全体をフラットな構成とすることができ、冷蔵庫１の美観を向上させることができる。
【００３４】
表示パネル５０は、タッチパネル式のディスプレイパネルなどで構成される。表示パネル５０は、ガラスパネル５１の裏面に取り付けられている。例えば、表示パネル５０は、接着材を用いて、ガラスパネル５１の裏面に近接した状態で貼り付けられている。ガラスパネル５１の裏面に表示パネル５０が取り付けられることで、冷蔵室扉１１の本体部分が熱や振動などによって変形した場合にも、変形の影響を受けにくくすることができる。また、例えば、タッチパネル式の表示パネル５０の場合に、ガラスパネル５１から表示パネル５０が離間し、タッチパネルの感度が低下し、タッチパネルの操作性が低下することを抑制することができる。
【００３５】
ドアバック３１は、例えば、樹脂製の板状部材で形成されている。ドアバック３１には、冷蔵室扉１１の背面を左右方向に延びるように配置された、複数の収納ポケット６１・６２・６３が取り付けられている（図４参照）。また、冷蔵室扉１１の背面側には、扉の外周に沿うように、突出壁（突起部）３２が形成されている。突出壁３２は、土手、フランジなどとも呼ばれる。なお、本明細書では、ヒンジ部２２側の突出壁を突出壁３２ａとし、開放端部側の突出壁を突出壁３２ｂとする。
【００３６】
突出壁３２の外周には、ドアパッキン（密封部材）２１が取り付けられている。ドアパッキン２１は、冷蔵室扉１１および１２が閉鎖状態のときに、庫内（冷蔵室内）の密閉性を高めるために設けられている。
【００３７】
断熱層２５は、例えば、真空断熱材、および発泡断熱材などで構成される。真空断熱材は、シート状または板状の断熱材である。発泡断熱材には、例えば、発泡ポリウレタン（硬質ウレタンフォームともいう）などが含まれる。
【００３８】
真空断熱材は、冷蔵庫の筐体および各扉の内部に部分的に配置されている。真空断熱材は、グラスウールやシリカ粉末等の微細空隙を有する芯材を、ガスバリア性を有する外被材（袋状体、例えばラミネートフィルム）で覆い、外被材の内部を減圧密封して形成される。真空断熱材は、その内部空間を高真空に保ち、気相を伝わる熱量を出来る限り小さくすることにより、高い断熱効果を実現することができる。真空断熱材を構成する材料については、従来公知のものを用いることができる。
【００３９】
真空断熱材は、冷蔵庫において、特に高い断熱性が要求される場所に配置することが望ましい。例えば、冷蔵庫１では、冷蔵室扉１１において、表示パネル５０と対向する位置に真空断熱材を配置することが好ましい。これにより、表示パネル５０から発生する熱をより確実に遮断して、冷蔵室扉１１の断熱性能を高めることができる。
【００４０】
カメラ取付部材７０は、ドアバック３１の開放端部側の突出壁３２ｂの外側に取り付けられる（図６参照）。カメラ取付部材７０は、冷蔵室扉１１の本体部分から取り外し可能に構成されている。カメラ取付部材７０は、小型カメラ７１を備えている。小型カメラ７１は、例えば、ＣＣＤカメラなどで構成される。
【００４１】
小型カメラ７１は、冷蔵室内を撮影するためのものである。したがって、小型カメラ７１は、冷蔵室扉１１の背面側（具体的には、カメラ取付部材７０の前面部７０ａ）に設置されている。小型カメラ７１の個数は、１個でもよいし、複数個でもよい。図４に示す例では、４個の小型カメラ７１が備えらえている例を示す。各小型カメラ７１は、上下方向に並んで配置されている。
【００４２】
小型カメラ７１は、カメラ接続用のハーネス（電子部品用配線）８２によって、表示パネル５０と接続されている。これにより、小型カメラ７１で撮影された冷蔵室内の映像を表示パネル５０に映し出すことができる。また、小型カメラ７１が取得した冷蔵室内の情報を、表示パネル５０の制御部（図示せず）および冷蔵庫本体の制御部（図示せず）に送信することができる。冷蔵室扉１１におけるハーネス８２の配線の仕方については、後述する。
【００４３】
冷蔵室扉１１は、開放端部側から開閉される。本実施形態では、冷蔵室扉１１の開放端部は、ガラスパネル５１の側面部材（第１の枠部材）５２で構成される（図３参照）。ガラスパネル５１のより詳細な構成については後述する。側面部材５２の内部には、結露防止用の発熱体が配置されていてもよい。
【００４４】
また、冷蔵室扉１１の右側端部（開放端部の反対側の端部）には、サイドキャップ２３が取り付けられている。サイドキャップ２３の内側には、ヒンジ部２２が設けられている。
【００４５】
＜正面部材およびドアバックについて＞
続いて、正面部材４１およびドアバック３１のより具体的な構成について説明する。
【００４６】
正面部材４１は、主として、略矩形状の板状部材と、その周囲に設けられている側壁４１ａ、側壁４１ｂ、上面部４１ｃ、および底面部４１ｄとで構成されている。側壁４１ａ、側壁４１ｂ、上面部４１ｃ、および底面部４１ｄは、板状部材に対して略垂直に設けられている。側壁４１ａは、冷蔵室扉１１のヒンジ部２２側に配置されている側壁であり、側壁４１ｂは、冷蔵室扉１１の開放端部側に配置されている側壁である。
【００４７】
図１０には、正面部材４１の裏面側（背面側）を示す。正面部材４１の裏面は、ドアバック３１と対向配置される。具体的には、正面部材４１の周囲に形成されている側壁４１ａ、側壁４１ｂ、上面部４１ｃ、および底面部４１ｄの内部に、ドアバック３１が嵌め込まれる。この嵌め込みの直前に、正面部材４１とドアバック３１との間に、例えば、ウレタンなどの発泡断熱材料が添加され、断熱層２５が形成される。
【００４８】
側壁４１ａの前方側の端部には、抱え込み部（第２の枠部材）４２が設けられている。抱え込み部４２は、側壁４１ａの端部を内側に折り曲げた構造を有しており、ガラスパネル５１の端部を抱え込むような構造に形成されている。
【００４９】
底面部４１ｄの前方側の端部には、抱え込み部（第２の枠部材）４３が設けられている。抱え込み部４３は、底面部４１ｄの端部上に形成された突起状構造を有しており、ガラスパネル５１の端部を抱え込むような構造に形成されている。
【００５０】
側壁４１ｂの後方側の端部には、ハーネス８２が収容されるハーネス収容部８０を形成するための背面部が設けられている。側壁４１ｂは、ガラスパネル５１の側面部材（第１の枠部材）５２によって覆われる。また、側壁４１ｂには、ネジ穴３８ａが複数個（本実施形態では、４個）形成されている。
【００５１】
ネジ穴３８ａは、ガラスパネル５１の接合部５５に形成されたネジ穴５５ａと対応する位置に形成されている。各ネジ穴が合致するようにガラスパネル５１を冷蔵室扉１１の本体部分に位置合わせし、各ネジ穴をネジ６５で固定することによって、ガラスパネル５１は冷蔵室扉１１の本体部分に接続固定される。なお、ネジ穴３８ａは、側壁４１ｂのパッキン配置用の溝部２１ａに形成されている（図３参照）。
【００５２】
上面部４１ｃの前方側の端部には、後述するガラスパネル５１の上方突起（第１の枠部材）５３を支持する受け部４４が設けられている。
【００５３】
抱え込み部（第２の枠部材）４２、抱え込み部（第２の枠部材）４３、および受け部４４によって、ガラスパネル５１が冷蔵室扉１１の本体部分に支持される。
【００５４】
また、図９に示すように、正面部材４１の前面側には、表示パネル５０が載置される表示パネル載置用空間５０ａが形成されている。表示パネル載置用空間５０ａは、正面部材４１の前面部５０ｂから凹んだ構造となっている。表示パネル載置用空間５０ａの上端部および下端部には、前方側へ向かって傾斜する傾斜部４５がそれぞれ設けられている。このような傾斜部４５が設けられていることで、表示パネル載置用空間５０ａと前面部５０ｂとの境界部分で断熱層２５の厚さが異なることに起因して発生する発泡断熱材の空隙の発生を抑えることができる。
【００５５】
下側の傾斜部４５には、傾斜部４５の上端部に、支持板部４６が形成されている。支持板部４６は、表示パネル載置用空間５０ａの表面から略垂直に立設している。この支持板部４６は、表示パネル５０が配置される領域に設けられていることが好ましい。この場合には、表示パネル５０の下端部を、この支持板部４６によって支持することで、冷蔵室扉１１の本体部分及びガラスパネル５１の位置ずれを抑えることができる。
【００５６】
また、支持板部４６の下方には、支持板部４６を支えるための補強部材４７が設けられていてもよい。補強部材４７は、複数個設けられていることが好ましい。これにより、支持板部４６がより安定して表示パネル５０を支持することができる。
【００５７】
図９に示すように、表示パネル載置用空間５０ａには、表示パネル５０用のハーネス８１と、カメラ接続用のハーネス８２とがそれぞれ配設されている。
【００５８】
表示パネル５０用のハーネス８１は、冷蔵庫１の本体部に設けられている制御部と接続される各種配線を収容している。ハーネス８１は、冷蔵庫１の本体部から冷蔵室扉１１のヒンジ部２２を通って正面部材４１に延びており、正面から見て正面部材４１の右上方から表示パネル載置用空間５０ａに配設されている。
【００５９】
このように、本実施形態にかかる冷蔵庫１では、表示パネル５０用のハーネス８１は、冷蔵室扉１１のヒンジ部２２を通って表示パネル載置用空間５０ａに延びている。表示パネル５０がハーネス８１と接続されることにより、冷蔵庫１の本体部から表示パネル５０に電源が供給されるとともに、表示パネル５０と冷蔵庫１の本体部の制御部との間での情報通信が実現される。
【００６０】
カメラ接続用のハーネス８２は、表示パネル５０と小型カメラ７１とを接続する各種配線を収容している。ハーネス８２は、正面から見て表示パネル載置用空間５０ａの左下方に配設されている。このハーネス８２は、冷蔵室扉１１の開放端部側において断熱層２５内を通過し、側壁４１ｂおよび背面部３８などで形成されているハーネス収容部８０へ延びている（図１１参照）。ハーネス８２は、ハーネス収容部８０から外部へ露出し、カメラ取付部材７０に設置されている小型カメラ７１と接続される（図６参照）。
【００６１】
このように、本実施形態にかかる冷蔵庫１では、小型カメラ７１がハーネス８２によって表示パネル５０と接続される。これにより、表示パネル５０から小型カメラ７１に電源が供給されるとともに、小型カメラ７１によって撮影された画像のデータが表示パネル５０へ送信される。
【００６２】
また、表示パネル載置用空間５０ａの左下方には、タッチセンサ９０を載置するためのタッチセンサ載置部（弾性部材）４８が形成されている。タッチセンサ載置部４８は、表示パネル載置用空間５０ａの表面から鉤状に突出する樹脂素材で形成されている。これにより、タッチセンサ載置部４８を、冷蔵室扉１１の前後方向に弾性を有する構成とすることができ、冷蔵室扉１１の本体部分の前面にガラスパネル５１を取り付けた際に、タッチセンサ９０をガラスパネル５１のガラス板の裏面に押し付けることができる。
【００６３】
図１２に示すように、ドアバック３１は、主として、略矩形状の板状部材と、その周囲に設けられている突出壁３２とで構成されている。上述したように、正面部材４１とドアバック３１との間には、断熱層２５が形成される。突出壁３２の内部にも断熱層２５が形成されている。
【００６４】
側方に設けられている突出壁３２ａと突出壁３２ｂとの間には、複数個の収納ポケット６１・６２・６３が取り付けられる。後述するように、開放端部側の突出壁３２ｂには、カメラ取付部材７０が取り付けられる。また、突出壁３２ｂの外側には、リブ３５が形成されている。リブ３５は、正面部材４１の側壁４１ｂに設けられている背面部３８と重なるように配置される（図１３参照）。
【００６５】
＜ガラスパネルについて＞
続いて、ガラスパネル５１のより具体的な構成について説明する。図５に示すように、ガラスパネル５１は、主として、一枚のガラス板と、ガラス板の一端部に設けられている側面部材（第１の枠部材）５２とで構成されている。
【００６６】
ガラス板は、その中央部に光を透過させる透明部５１ａが設けられている。透明部５１ａの周囲は、光を透過させない非透明部となっている。ガラス板の裏面には、表示パネル５０が取り付けられている（図５参照）。より具体的には、透明部５１ａの裏面に表示パネル５０の表示画面が配置されている。ガラス板のタッチセンサ９０の配置位置には、タッチセンサ９０の位置を明示するためのマーク９０ａがつけられている。
【００６７】
側面部材５２は、冷蔵室扉１１の開放端部側に相当する端部に位置している。側面部材５２は、ガラスパネル５１のガラス板に対して略垂直に設けられている。ガラスパネル５１が冷蔵室扉１１の本体部分に取りつけられた状態では、側面部材５２は、正面部材４１の側壁４１ｂに被さるように配置される。
【００６８】
側面部材５２の後方側の端部には、ガラスパネル５１を冷蔵室扉１１の本体部分と接続するための接合部５５が複数個（本実施形態では、４個）形成されている。接合部５５には、ネジ穴５５ａがそれぞれ形成されている。
【００６９】
また、ガラスパネル５１のガラス板の裏面には、上方突起（第１の枠部材）５３が形成されている。上方突起５３は、正面部材４１の上面部４１ｃに設けられている受け部４４と対応する位置に形成されている。
【００７０】
＜カメラ取付部材について＞
続いて、カメラ取付部材７０のより具体的な構成について、図６および図７などを参照しながら説明する。なお、図６および図７では、１個の小型カメラ７１のみを図示し、他の小型カメラ７１の図示は省略している。
【００７１】
小型カメラ７１が備えられているカメラ取付部材７０は、冷蔵室扉１１から取り外し可能に取り付けられている。これにより、カメラを備えていない従来の冷蔵庫扉の構造を大きく変更することなく、カメラ取付部材７０を後付けすることで、冷蔵室内を撮影できるカメラを容易に冷蔵庫に設置することができる。
【００７２】
カメラ取付部材７０は、例えば、プラスチック製の樹脂で形成された樹脂成形品である。カメラ取付部材７０は、冷蔵室扉１１の開放端部側の突出壁３２ｂの一部（例えば、外側の側面部など）を覆うような構成となっている。
【００７３】
カメラ取付部材７０は、前面部７０ａ、側面部７０ｂ、上面部７０ｃ、および底面部７０ｄを有している。前面部７０ａには、小型カメラ７１のレンズ部分を露出させる穴が形成されている。側面部７０ｂは、ドアバック３１の突出壁３２ｂの外側の側面を覆うように配置される。これにより、冷蔵室扉１１にカメラ取付部材７０が取り付けられた状態では、カメラ取付部材７０は、冷蔵室扉１１の背面側の突出壁の一部を構成する（図３参照）。
【００７４】
カメラ取付部材７０の側面部７０ｂの前方側の端部７０ｅには、ネジ穴７２が複数個（本実施形態では、４個）形成されている。ネジ穴７２は、正面部材４１の側壁４１ｂに形成されたネジ穴３８ａと対応する位置に形成されている。各ネジ穴が合致するようにカメラ取付部材７０を冷蔵室扉１１の本体部分に位置合わせし、各ネジ穴をネジ６５（またはビス）などの固定部材で固定することによって、カメラ取付部材７０は冷蔵室扉１１の本体部分に接続固定される。
【００７５】
なお、カメラ取付部材７０のネジ穴７２は、他のネジ穴３８ａおよび５５ａと同様に、側壁４１ｂのパッキン配置用の溝部２１ａに対応する位置に形成されている。このように、本実施形態では、ガラスパネル５１およびカメラ取付部材７０は、同じネジ６５によって、冷蔵室扉１１の本体部分に接続固定される。
【００７６】
カメラ取付部材７０の内部の空間には、小型カメラ７１が配置されている。図６および図７に示す例では、小型カメラ７１の個数は１個であるが、カメラ取付部材７０には、２個以上の小型カメラ７１が設けられていてもよい。
【００７７】
また、カメラ取付部材７０は、カメラ接続用のハーネス８２を収容するハーネス収容部８０と対応する位置に取り付けられる。カメラ取付部材７０を冷蔵室扉１１に取り付ける際には、ハーネス８２の先端部のコネクタと、小型カメラ７１のコネクタとを予め連結させておく（図６および図７参照）。そして、冷蔵室扉１１の決められた配置位置にカメラ取付部材７０を取りつけることで、小型カメラ７１を冷蔵室扉１１に取り付けることができる。
【００７８】
＜冷蔵室扉へのガラスパネルなどの取り付けについて＞
本実施形態にかかる冷蔵庫１では、ガラスパネル５１は、冷蔵室扉１１に対して取り外し可能に取り付けられている。また、本実施形態にかかる冷蔵庫１では、カメラ取付部材７０も、冷蔵室扉１１に対して取り外し可能に取り付けられている。以下では、冷蔵室扉１１の本体部分にガラスパネル５１およびカメラ取付部材７０を取り付ける方法について説明する。
【００７９】
先ず、正面部材４１とドアバック３１とで構成される冷蔵室扉１１の本体部分の外形が形成される。真空断熱材については、冷蔵室扉１１の外形を形成する前に、正面部材４１およびドアバック３１の少なくとも何れかに取り付けておく。次に、正面部材４１とドアバック３１との間の空間に、発泡断熱材の各種材料を添加する。発泡断熱材の各種材料を添加後、速やかに正面部材４１とドアバック３１とを組み合わせる。これにより、正面部材４１とドアバック３１との間の空間内で各種材料が発泡し、発泡断熱材の断熱層２５が形成される。
【００８０】
続いて、冷蔵室扉１１の本体部分の前面にガラスパネル５１を取り付ける。このとき、冷蔵室扉１１の開放端部側からガラスパネル５１をスライドさせるように冷蔵室扉１１の正面部材４１上にガラスパネル５１を配置する。そして、ガラスパネル５１の下端部を、正面部材４１の底面部４１ｄに設けられている抱え込み部４３に嵌め込む。また、ガラスパネル５１の右側端部（ヒンジ側の端部）を、正面部材４１の側壁４１ａに設けられている抱え込み部４２に嵌め込む。
【００８１】
ガラスパネルの下端部および右側端部が各抱え込み部４３および４２に嵌め込まれると、正面部材４１の側壁４１ｂは、ガラスパネル５１の左側端部（開放端部）の側面部材５２によってカバーされる。そして、側面部材５２の端部に設けられている接合部５５のネジ穴５５ａは、側壁４１ｂに形成されているネジ穴３８ａと対応するように位置する。また、ガラスパネル５１の裏面上方に設けられている上方突起５３は、正面部材４１の上面部４１ｃに設けられている受け部４４によって支持される。
【００８２】
このように、本実施形態では、ガラスパネル５１の左側端部に設けられている側面部材５２（第１の枠部材）および上方端部近傍に設けられている上方突起５３（第１の枠部材）が、正面部材４１の対応する端部と係合する。ここで、「係合する」とは、正面部材４１の構成部材と、ガラスパネル５１の構成部材（具体的には、第１の枠部材）とが、互いに係り合って、ガラスパネル５１が正面部材４１に支持または接続されることを意味する。
【００８３】
次に、カメラ取付部材７０が、冷蔵室扉１１の本体部分に取り付けられる。このとき、図６または図７に示すように、カメラ取付部材７０の内部に設置された小型カメラ７１をハーネス８２と接続させた状態で、ドアバック３１の突出壁３２ｂの側面を覆うようにカメラ取付部材７０が取り付けられる。また、カメラ取付部材７０の各ネジ穴７２は、接合部５５のネジ穴５５ａおよび側壁４１ｂのネジ穴３８ａと対応するように配置される。
【００８４】
その後、各ネジ穴７２，５５ａ、および３８ａにネジ６５が挿入される。各ネジ穴は、ドアパッキン２１が配置される溝部２１ａに形成されている（図３参照）。最後に、各ネジ穴をカバーするように、ドアパッキン２１が冷蔵室扉１１に取り付けられる。
【００８５】
以上のようにして、冷蔵室扉１１が組み立てられる。
【００８６】
＜カメラ接続用ハーネスの配置について＞
続いて、ハーネス収容部８０が形成されている冷蔵室扉１１の内部構成について、図１３および図１４を参照しながら説明する。図１３は、図２に示すＡ−Ａ線部分での切断面の構成を示す断面図である。図１４は、図３に示すＢ−Ｂ線部分での切断面の一部（開放端部側）の構成を示す断面図である。
【００８７】
冷蔵室扉１１の本体部分の外形は、正面部材４１と、正面部材４１と対向配置されたドアバック３１とで形成されている。正面部材４１とドアバック３１との間の空間には、断熱層２５が形成されている。また、冷蔵室扉１１において、冷蔵庫１の庫内に面する側には、冷蔵室扉１１を閉鎖したときに庫内の密閉性を高めるためのドアパッキン２１が配置されている。また、ドアバック３１の開放端部側の突出壁３２ｂには、カメラ取付部材７０が取り付けられる。カメラ取付部材７０の内部には、小型カメラ７１が備えられている。小型カメラ７１は、カメラ接続用のハーネス８２によって表示パネル５０と接続されている。
【００８８】
ハーネス８２は、正面部材４１の前面側から断熱層２５内へ入り込んでいる（図９および図１０参照）。そして、ハーネス８２のカメラ接続側の端部は、ドアパッキン２１よりも庫内側で断熱層２５から外部へ露出している。すなわち、断熱層２５の形成時（例えば、ウレタン発泡時）、ハーネス８２のカメラ接続側の端部は、庫内側（具体的には、正面部材４１の背面部３８とその近傍の側壁４１ｂ）に形成されたハーネス収容部８０に収容されている。そして、断熱層２５の形成後のカメラ取付部材７０の取付け時に、ハーネス８２のカメラ接続側の端部は、ハーネス収容部８０から取り出され、ドアパッキン２１よりも庫内側で小型カメラ７１と接続される。
【００８９】
また、ハーネス８２のもう一方の端部（表示パネル接続側の端部）は、正面部材４１の前面側で断熱層２５の外側へ露出している（図９参照）。
【００９０】
また、正面部材４１の前面側には、ガラスパネル５１が配置されている。ガラスパネル５１およびカメラ取付部材７０は、同じ固定部材（具体的には、ネジ６５）で冷蔵室扉１１の本体部分（本実施形態では、正面部材４１のネジ穴３８ａ）に固定される。
【００９１】
なお、各構成部材においてネジ穴が形成されている箇所（具体的には、正面部材４１の側壁４１ｂ、ガラスパネル５１の接合部５５、およびカメラ取付部材７０の端部７０ｅ）は、冷蔵室扉１１の開放側の最端部よりもやや内側に凹んだ形状となっている。これにより、ネジ穴が形成される箇所にが、パッキン配置用の溝部２１ａが形成される。そして、ドアパッキン２１は、溝部２１ａに嵌め込まれる。
【００９２】
なお、図１４に示すように、溝部２１ａの両側の側面には、凸部２８が形成されている。また、溝部２１ａに嵌め込まれる部分のドアパッキン２１には、切込みが形成されている。ドアパッキン２１を溝部２１ａに嵌め込む際には、この切込み内に凸部２８が位置するように取り付ける。これにより、ドアパッキン２１の位置ずれを抑制することができる。
【００９３】
溝部２１ａを形成する一方の側壁はガラスパネル５１の接合部５５によって、他方の側壁はカメラ取付部材７０の端部７０ｅによって構成されている。また、凸部２８も同様に接合部５５と端部７０ｅのそれぞれに設けられている。これにより、ドアパッキン２１を挟んだ庫内側の部材（カメラ取付部材７０）と庫外側の部材（ガラスパネル５１）とは別部材となるため、部材自体の熱伝導による庫内外の熱漏洩を抑制できる。したがって、ドアパッキン２１による庫内外の断熱性能を維持できる。
【００９４】
（まとめ）
以上のように、本実施形態にかかる冷蔵庫１の冷蔵室扉１１には、電子部品の一例である小型カメラ７１が備えられている。小型カメラ７１は、カメラ接続用のハーネス８２によって表示パネル５０と接続される。これにより、表示パネル５０から小型カメラ７１に電源が供給されるとともに、小型カメラ７１によって撮影された画像のデータが表示パネル５０へ送信される。
【００９５】
そして、カメラ接続用のハーネス８２は、正面部材４１の前面側から断熱層２５内へ入り込んでいる。そして、ハーネス８２のカメラ接続側の端部は、ドアパッキン２１よりも庫内側の正面部材４１（具体的には、ハーネス収容部８０）で断熱層２５から外部へ露出している。
【００９６】
上記の構成によれば、庫内撮影用の小型カメラ７１と接続されるハーネス８２を、ドアパッキン２１よりも庫内側で断熱層２５から外側へ出すことによって、小型カメラ７１との接続をドアパッキン２１よりも庫内側で行うことができる。従って、冷蔵室扉１１の本体部分にカメラ取付部材７０を取り付ける際に、ハーネス８２と小型カメラ７１との接続部、または小型カメラ７１に接続したハーネス８２を収納する空間は、冷蔵室扉１１の本体部分の外側で、且つ、ドアパッキン２１よりも庫内側となる。すなわち、ハーネス８２を接続したり収納したりする空間を、冷蔵室内空間の一部に設けることになるため、ハーネス８２の接続や収納によって庫内の断熱性能を低下させることなく、正面部材４１の前面側から庫内側へ引き回すことができる。
【００９７】
また、庫内側に配置される小型カメラ７１用のハーネス８２を、ドアバック３１を介することなく、配設することができるため、ドアバック３１を正面部材４１に嵌め込む前に、ハーネス８２をドアバック３１に通す必要がなくなる。これにより、冷蔵室扉１１の本体部分の形成が容易となる。また、ハーネス８２に余剰な長さを持たせる必要がなくなり、冷蔵室扉１１の断熱性能低下を抑制できる。
【００９８】
したがって、正面部材４１とドアバック３１との間の断熱層２５を削ることなく、小型カメラ７１とハーネス８２とを接続させることができる。そのため、冷蔵室扉１１に小型カメラ７１を設置することによる断熱性能の低下を抑えることができる。また、小型カメラ７１の周辺とドアバック３１の内側との間に、断熱層２５を有する突出壁３２ｂが位置するため、小型カメラ７１の周辺と庫内との温度差に起因して起こり得る結露の発生を抑えることができる。
【００９９】
また、本実施形態のように、カメラ取付部材７０を、ドアバック３１の突出壁３２ｂの外側側面に取り付けることで、小型カメラ７１が冷蔵室扉１１の最後端に配置させることができる。そのため、小型カメラ７１を用いて庫内を撮影する際に、冷蔵室扉１１の構成部品によって死角が形成される可能性を低下させることができる。
【０１００】
なお、冷蔵室扉１１に設置される電子部品は小型カメラに限定はされない。小型カメラ以外の電子部品として、操作パネル、イオン供給部などを冷蔵室扉１１の庫内側に設置してもよい。操作パネル、イオン供給部などの電子部品も、本実施形態にかかるカメラ取付部材７０と同様の構成を有する電子部品取付部材を用いて、ドアバック３１の突出壁３２ｂに取り付けることができる。
【０１０１】
〔第２の実施形態〕
続いて、本発明の第２の実施形態について説明する。第２の実施形態では、冷蔵室扉１１への表示パネルの取り付け構造が第１の実施形態とは異なる。その他の構成については、基本的に第１の実施形態と同様の構成を適用することができる。そこで、以下では、電子部品の取り付け構造を中心に説明する。
【０１０２】
第１の実施形態では、ガラスパネル５１の裏面に表示パネル５０が取り付けられている。これに対して、第２の実施形態では、冷蔵室扉の前面側から表示パネルを取り外し可能な構成について説明する。
【０１０３】
図１５には、第２の実施形態にかかる冷蔵庫１０１の外観構成を示す。冷蔵庫１は、上段に冷蔵室、中段に冷凍室、および下段に野菜室（第２の冷蔵室）を備えている。上段の冷蔵室には、左右に分割された観音開き（フレンチドア）式の冷蔵室扉１１１（右側の冷蔵室扉）及び１１２（左側の冷蔵室扉）が設けられている。中段の冷凍室には、引き出し式の冷凍室扉１１３が設けられている。下段の野菜室（第２の冷蔵室）には、引き出し式の冷蔵室扉１１４が設けられている。
【０１０４】
右側の冷蔵室扉（扉）１１１には、表示パネル１５０が設置されている。表示パネル１５０は、冷蔵室扉１１１の上下方向の中央部分に配置されている。表示パネル１５０は、例えば、液晶ディスプレイ、有機ＥＬディスプレイなどで構成することができる。上述したように、表示パネル１５０は、冷蔵室扉１１１の前面側から取り外すことができる。取り外した表示パネル１５０は、タブレット端末として利用することができる。
【０１０５】
右側の冷蔵室扉１１１には、小型カメラ７１（図示せず）が備えられている。小型カメラ７１で撮影された庫内の画像は、表示パネル１５０に表示させることができる。小型カメラ７１の冷蔵室扉１１１への取り付け方法は、第１の実施形態と同様の方法が適用できる。
【０１０６】
〔第３の実施形態〕
本発明の他の態様では、冷蔵室扉に小型カメラのみが備えられており、表示パネルは備えられていない構成も可能である。そこで、第３の実施形態では、表示パネルが備えられていない冷蔵庫について説明する。
【０１０７】
第３の実施形態にかかる冷蔵庫１は、表示パネルが設けられていない点のみが第１の実施形態の冷蔵庫１とは異なっている。その他の構成については、基本的に第１の実施形態と同様の構成を適用することができる。
【０１０８】
第３の実施形態にかかる冷蔵室扉１１には、小型カメラ７１が備えられている。小型カメラ７１の取付方法については、第１の実施形態と同様の方法が適用できる。具体的には、カメラ接続用のハーネス８２の一端を、断熱層２５内を通過させて、ドアパッキン２１よりも庫内側のハーネス収容部８０から断熱層２５の外側まで引きまわすことによって、庫内側の小型カメラ７１をハーネス８２と接続可能な状態にしている。なお、この場合、ハーネス８２の他方の端部は、第１の実施形態で説明した表示パネル接続用のハーネス８１と直接接続させる、もしくはハーネス８１を流用すればよい。これにより、冷蔵庫本体側から電源を供給することが可能となり、かつ、冷蔵庫本体の制御部などと情報通信が可能となる。
【０１０９】
第３の実施形態にかかる冷蔵庫１では、小型カメラ７１で撮影された庫内の映像データは、冷蔵庫内の送信部から、遠隔位置にあるタブレット端末などに送信される。これにより、小型カメラ７１で撮影された庫内の映像をタブレット端末に表示させることができる。
【０１１０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１１１】
１        ：冷蔵庫
１１      ：冷蔵室扉（扉）
２１      ：ドアパッキン（密封部材）
２２      ：ヒンジ部
２５      ：断熱層
３１      ：ドアバック（背面側部材）
３２      ：突出壁（突起部）
４１      ：正面部材（前面側部材）
４２      ：抱え込み部
４３      ：抱え込み部
４８      ：タッチセンサ載置部
５０      ：表示パネル
５１      ：ガラスパネル（表面パネル）
５２      ：側面部材
５３      ：上方突起
６５      ：ネジ（固定部材）
７０      ：カメラ取付部材（取付部材）
７１      ：小型カメラ（電子部品）
８１      ：（表示パネル接続用）ハーネス
８２      ：（カメラ接続用）ハーネス（電子部品用配線）
９０      ：タッチセンサ
１０１    ：冷蔵庫
１１１    ：冷蔵室扉（扉）
１５０    ：表示パネル
【図１】
2019150636.tif 000003
【図２】
2019150636.tif 000004
【図３】
2019150636.tif 000005
【図４】
2019150636.tif 000006
【図５】
2019150636.tif 000007
【図６】
2019150636.tif 000008
【図７】
2019150636.tif 000009
【図８】
2019150636.tif 000010
【図９】
2019150636.tif 000011
【図１０】
2019150636.tif 000012
【図１１】
2019150636.tif 000013
【図１２】
2019150636.tif 000014
【図１３】
2019150636.tif 000015
【図１４】
2019150636.tif 000016
【図１５】
2019150636.tif 000017
【国際調査報告】
2019150636.tif 000018
2019150636.tif 000019
2019150636.tif 000020
2019150636.tif 000021